(57)【要約】  【課題】  浴槽内で使用できる水面検出器を備えた湯水混合水栓を提供すること。  【解決手段】  浴槽等の筐体Ｄに給水するための湯水混合水栓１において、筐体Ｄ内の水面を検出し、予め設定された水面Ｓになったときに出力信号を送出する水面検出器３と、前記筐体Ｄ内に給水する給水路ａの途中に設けられ、前記水面検出器３からの出力信号により開閉動作を行う電磁弁とを備えた後付けタイプの湯水混合水栓本体４を、既設の湯水混合水栓本体２と使用切替え可能に並設してある。  【選択図】  図１
2006045768.tif 000002
【特許請求の範囲】
【請求項１】
浴槽等の筐体内に給水するための湯水混合水栓において、筐体内の水面を検出し、予め設定された水面になったときに出力信号を送出する水面検出器と、前記筐体内に給水する給水路の途中に設けられ、前記水面検出器からの出力信号により開閉動作を行う電磁弁とを備えていることを特徴とする湯水混合水栓。
【請求項２】
浴槽等の筐体内に給水するための湯水混合水栓において、筐体内の水面を検出し、予め設定された水面になったときに出力信号を送出する水面検出器と、前記筐体内に給水する給水路の途中に設けられ、前記水面検出器からの出力信号により開閉動作を行う電磁弁とを備えた後付けタイプの湯水混合水栓本体を、既設の湯水混合水栓本体と使用切替え可能に並設してあることを特徴とする湯水混合水栓。
【請求項３】
前記後付けタイプの湯水混合水栓本体は、湯配管および水配管からそれぞれ導入される湯および水を混合するためのセラミック製の弁体を内部に有し、前記弁体の下流に形成される混合水給水路に連通する筐体への給水用の吐水管を有し、前記混合水給水路に前記電磁弁を有し、また、一端に温調ハンドルを有し、他端に切替えハンドルを有する状態で、前記各配管に接続されるクランク管と前記既設の湯水混合水栓本体間に設置されている一方、前記既設の湯水混合水栓本体に形成されている吐出口にシャワホースが接続されており、さらに、前記切替えハンドルを一方側に切替えると、前記後付けタイプの湯水混合水栓本体が使用可能になるよう構成され、前記切替えハンドルを他方側に切替えると、前記既設の湯水混合水栓本体が使用可能になるよう構成されている請求項２に記載の湯水混合水栓。
【発明の詳細な説明】
【技術分野】
【０００１】
この発明は、湯水混合水栓に関するものである。
【背景技術】
【０００２】
例えば浴槽内に給水して予め設定された水面になったときに給水を自動的に停止する湯水混合水栓として、混合水吐出流路に設けた羽根車の回転数を積算して混合水の給水流量を設定するように構成されたものがある。
【発明の開示】
【発明が解決しようとする課題】
【０００３】
しかし、例えばホテル等の浴槽内で使用する湯水混合水栓として、予め設定された水面になったときに出力信号を送出する水面検出器を使ったものはなかった。
【０００４】
この発明は、上述の事柄に留意してなされたもので、その目的は、浴槽内で使用できる水面検出器を備えた湯水混合水栓を提供することである。
【課題を解決するための手段】
【０００５】
上記目的を達成するために、この発明の湯水混合水栓は、浴槽等の筐体内に給水するための湯水混合水栓において、筐体内の水面を検出し、予め設定された水面になったときに出力信号を送出する水面検出器と、前記筐体内に給水する給水路の途中に設けられ、前記水面検出器からの出力信号により開閉動作を行う電磁弁とを備えている（請求項１）。
【０００６】
また、この発明は別の観点から、浴槽等の筐体内に給水するための湯水混合水栓において、筐体内の水面を検出し、予め設定された水面になったときに出力信号を送出する水面検出器と、前記筐体内に給水する給水路の途中に設けられ、前記水面検出器からの出力信号により開閉動作を行う電磁弁とを備えた後付けタイプの湯水混合水栓本体を、既設の湯水混合水栓本体と使用切替え可能に並設してあることを特徴とする湯水混合水栓を提供する（請求項２）。
【発明の効果】
【０００７】
この発明の湯水混合水栓（請求項１）は、水面検出器を用いることにより、混合水吐出流路に設けた羽根車の回転数を積算して混合水の給水流量を設定する従来の湯水混合水栓に比してメンテナンスを向上できるとともに、開閉動作が確実に行え、例えば浴槽内の給水に使用するのに適している。
【０００８】
また、この発明の湯水混合水栓（請求項２）は、上記効果に加えて、既設の湯水混合水栓本体を交換することなく、水面検出器と電磁弁とを備えた湯水混合水栓本体を後付けできる利点を有するものであり、汎用性がある。また、既設の湯水混合水栓本体が給水流量を自動設定するものではない場合でも、後付けタイプの湯水混合水栓本体により給水流量を自動設定できる。
【発明を実施するための最良の形態】
【０００９】
以下にこの発明の実施形態について説明する。なお、それによって、この発明は限定されるものではない。
【００１０】
図１〜図３は、この発明の第１の実施形態を示す。    
図１〜図３において、１は、浴槽（筐体の一例）Ｄの壁Ｗに設置される湯水混合水栓で、既設の周知のサーモ型湯水混合水栓本体２と、水面検出器３および電磁弁とを備え、後付けされたサーモ型の湯水混合水栓本体４とより主としてなる。前記両湯水混合水栓本体２，４はいずれも筒状に形成されており、自動温度調整機能を有する。
前記湯水混合水栓本体４は、湯配管および水配管からそれぞれ導入される湯および水を混合するためのセラミック製の第１の弁体４ａを内部に有し、前記弁体４ａの下流に形成される混合水吐出流路（混合水給水路）ａに連通する浴槽Ｄへの給水用の吐水管５を有し、混合水吐出流路ａに前記電磁弁を有し、また、一端に温調ハンドル６を有し、他端に切替えハンドル７を有する状態で、前記各配管に接続されるクランク管８，９と既設の湯水混合水栓本体２間に設置してある。すなわち、１０は、湯水混合水栓本体４の背面に設けられ、第１の弁体４ａの湯導入口に連通する湯入口で、クランク管８の下流側に設けた袋ナット１０ａに接続される。また、１１は、湯水混合水栓本体４の背面に設けられ、第１の弁体４ａの水導入口に連通する水入口で、クランク管９の下流側に設けた袋ナット１１ａに接続される。なお、吐水管５は、湯水混合水栓本体４の下面に形成される混合水吐出流路出口１９に接続される。
【００１１】
また、既設の湯水混合水栓本体２は、湯配管および水配管からそれぞれ導入される湯および水を混合するためのセラミック製の第２の弁体２ａを内部に有し、この弁体２ａの下流に形成される混合水吐出流路ｂに連通する吐出口１２を有し、また、一端に温調ハンドル１４を有し、他端に切替えハンドル１５を有する状態で、湯水混合水栓本体４の前面側に設置してある。すなわち、１６は、湯水混合水栓本体２の背面に設けられ、第２の弁体２ａの湯導入口に連通する湯入口で、湯水混合水栓本体４の前面に設けた湯連通口Ａを形成する袋ナット１６ａに接続される。また、１７は、湯水混合水栓本体２の背面に設けられ、第２の弁体２ａの水導入口に連通する水入口で、湯水混合水栓本体４の前面に設けた水連通口Ｂを形成する袋ナット１７ａに接続される。なお、吐出口１２は、シャワ１８のホース１９に接続される。
【００１２】
また、湯水混合水栓本体４の湯入口１０と湯連通口Ａ間の連通流路ならびに湯入口１０と第１の弁体４ａの湯導入口間の連通流路は第１の三方開閉弁を介して連通している。また、湯水混合水栓本体４の水入口１１と水連通口Ｂ間の連通流路ならびに水入口１１と第１の弁体４ａの水導入口間の連通流路は第２の三方開閉弁を介して連通している。そして、切替えハンドル７の切替え操作により第１の三方開閉弁と第２の三方開閉弁は、第１の弁体４ａ側あるいは第２の弁体２ａ側に同時に切替わるよう構成されている。
すなわち、湯水混合水栓本体４の切替えハンドル７を回動して一方側に切替えると、湯水混合水栓本体４が使用可能になるよう構成され、切替えハンドル７を他方側に切替えると、既設の湯水混合水栓本体２が使用可能になるよう構成されている。切替えハンドル７を回動操作により一方側に切替えると、湯側では、第１の三方開閉弁が第１の弁体２ａの湯導入口と湯水混合水栓本体２の湯入口１０が連通するよう切替わるとともに、水側では、第２の三方開閉弁が第１の弁体２ａの水導入口と水入口１１が連通するよう切替わる。この状態で、さらに、切替えハンドル７を同じ方向に回動させると止水の状態から吐水の状態になり、吐水管５から吐出する混合水の流量を調整できるように構成されている。
一方、切替えハンドル７を他方側に切替えると、既設の湯水混合水栓本体２が使用可能になる。すなわち、切替えハンドル７を回動操作により他方側に切替えると、湯側では、湯水混合水栓本体４の湯入口１０と湯水混合水栓本体４の湯連通口Ａが連通するよう第１の三方開閉弁が切替わるとともに、水側では、湯水混合水栓本体４の水入口１１と湯水混合水栓本体４の水連通口Ｂが連通するよう第２の三方開閉弁が切替わる。この状態で、湯水混合水栓本体２の切替えハンドル１５を回動させると止水の状態から吐水の状態になり、シャワ１８から吐出する混合水の流量を調整できるように構成されている。
【００１３】
前記水面検出器３は、フロートスイッチから構成されており、浴槽Ｄ内の水面を検出し、予め設定された水面Ｓになったときに出力信号を送出し、この出力信号により前記電磁弁を閉じて混合水吐出流路ａから吐水管５に流出していた混合水を絶つ。２０は、水面検出器３の検出ホース、２１は、水面の高さに応じて検出ホース２０を上下する可動部材である。検出ホース２０は、湯水混合水栓本体４の下面で、混合水吐出流路出口１９に隣接する位置に形成された開口３０に挿通されており、リード線を介して湯水混合水栓本体４の内部に設けた前記電磁弁に接続される。２２は、銅などの金属あるいは合成樹脂よりなる化粧用の保護カバー部材で、検出ホース２０および可動部材２１を浴槽Ｄの側面側内壁面２２とで覆い、検出ホース２０および可動部材２１を保護する。このカバー部材２２は、軸線方向に切欠２４を有する下部筒部材２５と、下部筒体２５から上方に連設されて前記開口３０に至るＬ字型部材２６とより構成される。カバー部材２２は、切欠２４の両端面２７，２８が前記内壁面２２に接着されている。
【００１４】
図４は、この発明の第２の実施形態を示す。図４において、図１〜図３に示した符号と同一のものは同一または相当物である。
図４において、３１は、既設の周知のサーモ型湯水混合水栓本体で、背面にシャワ接続口５０を有し、下面に吐水管３４の混合水吐出用接続口３３を有する。３２は、切替えハンドルで、止水と流量張設とシャワ・吐水管の切替えを行う機能を有する。
３５は、接続口３３から吐水管３４を取り外した後、接続口３３に接続される箱体である。この箱体３５は、接続口３３に接続される接続部３６を上面に有し、接続部３６に対応する下面の位置に吐水管３４との接続部３７を有する。そして、接続部３６，３７間には混合水流路ｃが形成されている。この混合水流路ｃには、リード線を介して検出ホース２０と接続される電磁弁が設けられている。
なお、４０は、吐水管３４と接続口３３を接続するとともに、吐水管３４と接続部３７を接続するための継手で、シール用のＯリング４１が収容されている。
【００１５】
この実施の形態では、既設の湯水混合水栓本体３３から吐水管３４を取り外し、代わりに接続口３３に、電磁弁を備えた箱体３５を接続するだけで、給水流量を自動設定できる。
【図面の簡単な説明】
【００１６】
【図１】この発明の第１の実施形態における使用状態を示す斜視図である。
【図２】上記実施形態における施工手順を示す要部斜視図である。
【図３】上記実施形態で用いた水面検出器とカバー部材の位置関係を示す横断面図である。
【図４】この発明の第２の実施形態における使用状態を示す斜視図である。
【符号の説明】
【００１７】
１        湯水混合水栓
２        既設の湯水混合水栓本体  
３        水面検出器
４        後付けタイプの湯水混合水栓本体  
Ｄ        浴槽
Ｓ        水面
ａ        混合水給水路
【図１】
2006045768.tif 000003
【図２】
2006045768.tif 000004
【図３】
2006045768.tif 000005
【図４】
2006045768.tif 000006